(57)【要約】【課題】取扱性および作業性を向上する瓶針を提供すること。【解決手段】  穿刺側から基端側まで内部に液を導通させる導通路４０が形成されているとともに、内部に通気路５０が形成されて一端が穿刺側に開口した瓶針１であって、基端側の側周に、通気路５０と連通した凹部２１と当該凹部２１に埋入した疎水膜２２と、を設け、側周上でスライドさせることにより凹部２１を被覆密閉するスライドリング２３を備えたことを特徴とする瓶針１。【選択図】図１
2012217502.tif 000002
【特許請求の範囲】
【請求項１】
穿刺側から基端側まで内部に液を導通させる導通路が形成されているとともに、内部に通気路が形成されて一端が穿刺側に開口した瓶針であって、
側周に通気路と連通した凹部と、当該凹部に埋入させた疎水膜と、を設け、
側周上でスライドさせることにより凹部を被覆密閉するスライドリングを備えたことを特徴とする瓶針。
【請求項２】
通気路側に撥水処理を施した疎水膜であることを特徴とする請求項１に記載の瓶針。
【請求項３】
スライドリングが上下する側周は凹部にかけて径が大となる錐体であることを特徴とする請求項１または２に記載の瓶針。
【発明の詳細な説明】
【技術分野】
【０００１】
本発明は、瓶針に関し、特に、片手で簡便に通気とその遮断を可能にする瓶針に関する。
【背景技術】
【０００２】
医療分野における瓶針は、輸液容器等に刺して内部の液をチューブへと導くものであり、液の自重落下を円滑なものとするために、輸液容器等に空気流入させる通気路も設けられている。
【０００３】
図３は、従来の瓶針の一例を示した断面図である。従来の瓶針は、液の瓶針外への流出を避けるため、通気路末端に一方弁が設けられており、さらに通気を遮断して液の落下を制御するキャップ体が設けられた構造を有する。
【０００４】
従来では、このような瓶針を用いてキャップ体の開閉により、液漏れを生じることなく、液の導通（落下）および停止を行っていた。
【０００５】
しかしながら、従来の技術では以下の問題点があった。
従来の瓶針では、内部に一方弁を組み込んでいるため、瓶針の側周ないし基端部から突出した構造とならざるを得なかった。この突出部は、チューブのキンクを招来する可能性があり、使用時の取扱性に劣る場合がある、という問題点があった。弁を瓶針基端側の鍔体に設けることもできるが、この場合は、構造が複雑となり製造単価が高くなるという問題点があった。
【０００６】
また、キャップ体の開閉作業は、気密的な構造であるため両手作業となり、作業性が必ずしも良くない、という問題点があった。
【先行技術文献】
【特許文献】
【０００７】
【特許文献１】特開平２−１８２２６９号
【特許文献２】特開平４−１５６８５８号
【特許文献３】特開昭６３−１１１８７９号
【特許文献４】実開平２−１３９６５３号
【特許文献５】特開２００１−３７８７６号
【発明の概要】
【発明が解決しようとする課題】
【０００８】
本発明は上記に鑑みてなされたものであって、取扱性および作業性を向上する瓶針を提供することを目的とする。
【課題を解決するための手段】
【０００９】
請求項１に記載の瓶針は、穿刺側から基端側まで内部に液を導通させる導通路が形成されているとともに、内部に通気路が形成されて一端が穿刺側に開口した瓶針であって、側周に通気路と連通した凹部と、当該凹部に埋入させた疎水膜と、を設け、側周上でスライドさせることにより凹部を被覆密閉するスライドリングを備えたことを特徴とする。
【００１０】
すなわち、請求項１にかかる発明は、疎水膜により通気性を確保しつつ液の漏洩を防止するので、一方弁のような突設物をなくすことができ、これにより、使用時の取扱性が向上する。また、スライドリングの上下により、液の導通と停止とを片手で簡便におこなうことが可能となる。
【００１１】
請求項２に記載の瓶針は、請求項１に記載の瓶針において、通気路側に撥水処理を施した疎水膜であることを特徴とする。
【００１２】
すなわち、請求項２にかかる発明は、漏水抑制の信頼性をより向上できる。
【００１３】
請求項３に記載の瓶針は、請求項１または２に記載の瓶針において、スライドリングが上下する側周は凹部にかけて径が大となる錐体であることを特徴とする。
【００１４】
すなわち、請求項３は、簡便な構造により落水および停止制御が可能となる。
【発明の効果】
【００１５】
本発明の瓶針によれば、良好な取扱性および作業性を得ることのできる瓶針を提供することができる。
【図面の簡単な説明】
【００１６】
【図１】本発明の瓶針の一実施の形態を示した外観斜視図である。
【図２】図１に示した瓶針の断面図である。
【図３】従来の瓶針の一例を示した断面図である。
【発明を実施するための形態】
【００１７】
以下、本発明の実施の形態を図面を参照しながら詳細に説明する。
図１は、本発明の瓶針の一実施の形態を示した外観斜視図である。図２は、図１に示した瓶針の断面図である。
【００１８】
瓶針１は、先端が尖ったやや太い針形状であり、輸液容器等に突き刺す穿刺部１０と、胴部２０と、基端側の鍔部３０とにより構成され、これらはこの順に一体的に形成されている。本実施の形態では、瓶針１は、射出成型によるポリプロピレン製であるものとして説明する。
【００１９】
穿刺部１０は、先端側に向かって尖っており、側面長手方向の二箇所に導水溝１１が形成され、内部に空けられた導水路４０に案内されている。すなわち、導水溝１１部分が穿刺側の開口端を形成し、ここから輸液等が鍔部３０に接続されるチューブへと導通される。
【００２０】
穿刺部１０には、側面長手方向にもう一本、導水溝１１とは別の通気溝１２が形成され、内部に空けられた通気路５０に案内されている。導水路４０は、通気路５０と干渉せず、胴部２０に至っている。
【００２１】
胴部２０は、鍔部３０にかけ、外周が僅かに拡径する円錐形状であって、鍔部３０寄りの側周面に、円形の凹部２１を備えている。凹部２１の底面は開口しており、通気路５０に連通している。すなわち、通気路５０は、凹部２１を介して胴部２０側から空気を取り込み、通気溝１２を介してその空気を輸液容器等へ放出する。
【００２２】
また、凹部２１には、胴部２０の側周面からはみ出さない厚みの疎水膜２２が埋入されている。疎水膜２２はＰＴＦＥ製であり、ＰＰ製の瓶針の凹部２１の底面に熱溶着されている。また、疎水膜２２の溶着面側は、撥水処理が施されている。
【００２３】
撥水処理の施された疎水膜２２により、通気性を確保しつつ、通気路５０に液体が進入しても、瓶針１外部に液漏れが生じない。
【００２４】
また、胴部２０には、その内径を胴部２０の外径と略同一としたスライドリング２３が嵌められている。スライドリング２３の幅は、凹部２１の径以上の大きさであり、鍔部３０側にスライドさせると、凹部２１を被覆する。このとき、胴部２０は、鍔部３０にかけて拡径しているので、スライドリング２３が凹部２１を被覆した際には、凹部２１が密閉される。これにより、通気が遮断され、輸液等のチューブへの送出を停止できる。
【００２５】
なおスライドリング２３は、瓶針１本体と同様のＰＰ製であり、瓶針１に嵌め込む際には、胴部２０の穿刺部１０側に設けられた凸部であるストッパ２４を経てさらに押し込み、抜けが防止されるようにしている。
【００２６】
鍔部３０は、円盤形状であり、下部には円柱状の差込管３１が設けられている。輸液等を送出するチューブは、この差込管３１に差し込まれる。鍔部３０は、瓶針１を輸液容器等に差し込む際の保持性を向上し、また、片手でスライドリング２３を上下させる際にも中指若しくは手のひらで保持して操作性を向上させる。
【００２７】
瓶針１は、以上説明したように、一方弁をもたない構造とすることができるので、チューブが引っかかってしまうような出っ張りをなくすことができ、また、キャップを有さず、スライドリング２３を片手で操作して通気とその遮断をおこなうことができる。加えて、形状が複雑でないので、製造単価を安くすることも可能となる。
【００２８】
使用に際しては、まず、チューブを差込管３１に差し込み、次に、鍔部３０を手がかりとして輸液容器等に瓶針１を差し込む。輸液容器等をスタンドにかけ、チューブ中途にあるクランプを操作して、輸液等の導通を開始する。このとき、スライドリング２３が凹部２１を被覆していないことを確認し、被覆している場合は適宜胴部２０の上部へ押し上げる。
【００２９】
中途で輸液等の導通を停止する場合には、クランプを閉じ、次いでスライドリング２３を下げ凹部２１を被覆する。再会する際には、これと逆の手順をふむ。
【００３０】
本発明の瓶針は、上記の実施態様には限定されない。例えば、瓶針本体は、ＰＰのほか、ＰＣ，ＰＯＭ，ＡＢＳといった素材を挙げることができる。また、疎水膜はＰＴＦＥのほか、ＰＶＤＦを挙げることもできる。なお、疎水膜を熱溶着する場合または接着剤により接着する場合には、瓶針素材との親和性の高い素材を選択することが好ましい。
【００３１】
なお、疎水膜の性状は、耐水圧に関しては０．０２M［Pａ］以上、より好ましくは０．０６Ｍ［Ｐａ］以上とする。また、通気性に関しては、膜を挟んだ気圧の差が０．０１Ｍ［Ｐａ］である場合に、一分間当たり６５０ｍｌ／ｃｍ２以上、好ましくは１３００ｍｌ／ｃｍ２以上の空気移動するものであるとする。これにより、液の流出を防止しつつ良好な通気性を確保することができる。
【００３２】
さらに、疎水膜の前後に、適宜、除菌フィルタを嵌挿することもできる。
【産業上の利用可能性】
【００３３】
本発明の瓶針は、輸液容器等に穿刺して、空気と交換しながらその分の液を滴下させていくのに適しており、取扱性および作業性が求められる分野であれば医療用分野に限らず用いることができる。
【符号の説明】
【００３４】
１        瓶針
１０     穿刺部
１１     導水溝
１２     通気溝
２０     胴部
２１     凹部
２２     疎水膜
２３     スライドリング
２４     ストッパ
３０     鍔部
３１     差込管
４０     導水路（導通路）
５０     通気路
【図１】
2012217502.tif 000003
【図２】
2012217502.tif 000004
【図３】
2012217502.tif 000005